【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
入力信号を異なるサンプリングブロックにより直交変換処理して複数系統の係数データを出力する複数の直交変換手段と、
前記複数系統の係数データより前記入力信号に埋め込まれた所定のデータを検出するデータ検出手段とを備えることを特徴とする信号処理装置。
【請求項２】
入力信号を異なるサンプリングブロックにより直交変換処理して複数系統の係数データより、前記入力信号に埋め込まれた所定のデータを検出することを特徴とする信号処理方法。
【請求項３】
入力信号を所定のサンプリングブロックにより直交変換処理して係数データを出力する直交変換手段と、
前記入力信号を基準にして前記サンプリングブロックを設定する入力信号処理手段と、
前記係数データに所定の入力データを割り当てる係数データ処理手段とを備えることを特徴とする信号処理装置。
【請求項４】
所定の入力信号を記録した記録媒体において、
前記入力信号は、
所定のサンプリングブロックにより直交変換処理して係数データに変換され、
前記係数データに所定の入力データが割り当てられ、
前記入力信号を基準にして前記サンプリングブロックが設定されたことを特徴とする記録媒体。
【請求項５】
入力信号を所定のサンプリングブロックにより直交変換処理して係数データを生成し、
前記係数データに所定の入力データを割り当てる信号処理方法であって、
前記入力信号を基準にして前記サンプリングブロックを設定することを特徴とする信号処理方法。
【請求項６】
入力信号を所定のサンプリングブロックにより直交変換処理して係数データを出力する直交変換手段と、
前記係数データに所定の入力データを割り当てる係数データ処理手段とを備え、
前記係数データ処理手段は、
時間軸方向及び又は周波数軸方向に連続する前記係数データの値を、前記入力データに対応する同一値に設定することを特徴とする信号処理装置。
【請求項７】
入力信号を所定のサンプリングブロックにより直交変換処理して係数データを生成し、
前記係数データに所定の入力データを割り当てる信号処理方法であって、
時間軸方向及び又は周波数軸方向に連続する前記係数データの値を、前記入力データに対応する同一値に設定することを特徴とする信号処理方法。
【請求項８】
前記同一値の少なくとも１つが前記係数データにより表される前記入力信号の信号レベルを０レベルに設定する値であることを特徴とする請求項７に記載の信号処理方法。
【請求項９】
所定の入力信号を記録した記録媒体において、
入力信号を所定のサンプリングブロックにより直交変換処理して係数データを生成し、
時間軸方向及び又は周波数軸方向に連続する前記係数データの値を、前記入力データに対応する同一値に設定して、前記係数データに所定の入力データが割り当てられたことを特徴とする記録媒体。
【請求項１０】
入力信号を所定のサンプリングブロックにより直交変換処理して係数データを出力する直交変換手段と、
前記係数データに所定の入力データを割り当てる係数データ処理手段と、
前記入力信号に直接に又は間接的に時間計測用の基準信号を埋め込む基準信号埋め込み手段とを備えることを特徴とする信号処理装置。
【請求項１１】
入力信号を所定のサンプリングブロックにより直交変換処理して係数データを生成し、
前記係数データに所定の入力データを割り当てる信号処理方法であって、
前記入力信号に直接に又は間接的に時間計測用の基準信号を埋め込むことを特徴とする信号処理方法。
【請求項１２】
所定の入力信号を記録した記録媒体において、
前記入力信号は、
所定のサンプリングブロックにより直交変換処理して係数データに変換され、
前記係数データに所定の入力データが割り当てられ、
前記入力信号に直接に又は間接的に時間計測用の基準信号が埋め込まれたことを特徴とする記録媒体。
【請求項１３】
入力信号を所定のサンプリングブロックにより直交変換処理して係数データを出力する直交変換手段と、
前記係数データに所定の入力データを割り当てる係数データ処理手段とを備え、
前記係数データ処理手段は、
前記係数データの周波数軸方向及び時間軸方向の組み合わせによるパターンにより前記入力データを表現することを特徴とする信号処理装置。
【請求項１４】
入力信号を所定のサンプリングブロックにより直交変換処理して係数データを生成し、
前記係数データに所定の入力データを割り当てる信号処理方法であって、
前記係数データの周波数軸方向及び時間軸方向の組み合わせによるパターンにより前記入力データを表現することを特徴とする信号処理方法。
【請求項１５】
前記パターンを一定の周期で繰り返すことを特徴とする請求項１４に記載の信号処理方法。
【請求項１６】
前記入力データによる第１のパターンに対して、第２の入力データによる第２のパターンが前記第１のパターンと干渉しないように、前記係数データに前記第２の入力データを割り当てることを特徴とする請求項１４に記載の信号処理方法。
【請求項１７】
前記入力データと共に前記入力データの誤り訂正用符号を前記パターンにより前記係数データに割り当てることを特徴とする請求項１４に記載の信号処理方法。
【請求項１８】
時間軸方向の前記係数データの変化により前記係数データにおいて前記入力データを表現することを特徴とする請求項１４に記載の信号処理方法。
【請求項１９】
所定の入力信号を記録した記録媒体において、
前記入力信号は、所定のサンプリングブロックにより直交変換処理して係数データに変換され、
前記係数データに所定の入力データが割り当てられて、前記係数データの周波数軸方向及び時間軸方向の組み合わせによるパターンにより前記入力データが表現されることを特徴とする記録媒体。
【請求項２０】
入力信号を所定のサンプリングブロックにより直交変換処理して係数データを出力する直交変換手段と、
前記係数データに所定の入力データを割り当てる係数データ処理手段と、
前記係数データ処理手段より出力される前記係数データを逆直交変換処理して出力する逆直交変換手段と、
前記係数データ処理手段による前記入力データの割り当てに連動して、逆直交変換手段の出力信号と前記入力信号とを選択的に出力する信号出力手段とを備えることを特徴とする信号処理装置。
【請求項２１】
前記信号出力手段は、
前記出力信号と前記入力信号とを切り換える際に、クロスフェードにより合成して出力することを特徴とする請求項２０に記載の信号処理装置。
【請求項２２】
入力信号を所定のサンプリングブロックにより直交変換処理して係数データを生成し、
前記係数データに所定の入力データを割り当て、
前記係数データを逆直交変換処理して出力信号を出力し、
前記入力データの割り当てに連動して、前記出力信号と前記入力信号とを選択的に出力することを特徴とする信号処理方法。
【請求項２３】
所定の入力信号を記録した記録媒体において、
前記入力信号は、
所定のサンプリングブロックにより直交変換処理して係数データに変換され、
前記係数データに所定の入力データが割り当てられて、逆直交変換処理されて出力信号に変換され、
前記出力信号と合成されて記録されたことを特徴とする記録媒体。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
さらに請求項６又は請求項７に係る発明においては、それぞれ信号処理装置又は信号処理方法において、入力信号を所定のサンプリングブロックにより直交変換処理して係数データを生成し、この係数データに所定の入力データを割り当てる際に、時間軸方向及び又は周波数軸方向に連続する係数データの値を、入力データに対応する同一値に設定する。
【手続補正５】
【補正対象書類名】明細書
【補正対象項目名】００１２
【補正方法】変更
【補正の内容】
【００１２】
また請求項９に係る発明においては、所定の入力信号を記録した記録媒体において、入力信号を所定のサンプリングブロックにより直交変換処理して係数データを生成し、このとき時間軸方向及び又は周波数軸方向に連続する係数データの値を、入力データに対応する同一値に設定して、係数データに入力データが割り当てられる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
さらに請求項１０又は請求項１１に係る発明においては、それぞれ信号処理装置又は信号処理方法において、入力信号を所定のサンプリングブロックにより直交変換処理して係数データを生成し、この係数データに所定の入力データを割り当て、入力信号に直接に又は間接的に時間計測用の基準信号を埋め込む。
【手続補正８】
【補正対象書類名】明細書
【補正対象項目名】００１５
【補正方法】変更
【補正の内容】
【００１５】
さらに請求項１２に係る発明においては、所定の入力信号を記録した記録媒体において、この入力信号は、所定のサンプリングブロックにより直交変換処理して係数データに変換され、この係数データに所定の入力データが割り当てられ、この入力信号に直接に又は間接的に時間計測用の基準信号が埋め込まれる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
また請求項１３又は請求項１４に係る発明においては、それぞれ信号処理装置又は信号処理方法において、入力信号を所定のサンプリングブロックにより直交変換処理して係数データを生成し、この係数データに所定の入力データを割り当てる際に、係数データの周波数軸方向及び時間軸方向の組み合わせによるパターンにより入力データを表現する。
【手続補正１４】
【補正対象書類名】明細書
【補正対象項目名】００２１
【補正方法】変更
【補正の内容】
【００２１】
また請求項１９に係る発明においては、所定の入力信号を記録した記録媒体において、この入力信号は、所定のサンプリングブロックにより直交変換処理して係数データに変換され、この係数データに所定の入力データが割り当てられて、この係数データの周波数軸方向及び時間軸方向の組み合わせによるパターンにより入力データが表現される。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
また請求項２０又は請求項２２に係る発明においては、それぞれ信号処理装置又は信号処理方法において、入力信号を所定のサンプリングブロックにより直交変換処理して係数データを生成し、この係数データに所定の入力データを割り当て、この係数データを逆直交変換処理して出力信号を生成し、この係数データへの入力データの割り当てに連動して、この出力信号と入力信号とを選択的に出力する。
【手続補正１７】
【補正対象書類名】明細書
【補正対象項目名】００２４
【補正方法】変更
【補正の内容】
【００２４】
また請求項２３に係る発明においては、所定の入力信号を記録した記録媒体において、この入力信号は、所定のサンプリングブロックにより直交変換処理して係数データに変換され、この係数データに所定の入力データが割り当てられて、逆直交変換処理されて出力信号に変換され、この出力信号と合成されて記録される。
【手続補正１８】
【補正対象書類名】明細書
【補正対象項目名】００２５
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】変更
【補正の内容】
【００３２】
さらに請求項６又は請求項７に係る構成において、それぞれ信号処理装置又は信号処理方法において、入力信号を所定のサンプリングブロックにより直交変換処理して係数データを生成し、この係数データに所定の入力データを割り当てる際に、時間軸方向及び又は周波数軸方向に連続する係数データの値を、入力データに対応する同一値に設定すれば、異なるサンプリングブロックにより入力データを検出する場合でも、少なくとも１の係数データにおいては、入力データを割り当てた際における係数データとほぼ同一値を得ることができ、これにより誤検出を防止することができる。
【手続補正２２】
【補正対象書類名】明細書
【補正対象項目名】００３３
【補正方法】変更
【補正の内容】
【００３３】
また請求項９に係る構成において、所定の入力信号を記録した記録媒体において、入力信号を所定のサンプリングブロックにより直交変換処理して係数データを生成し、このとき時間軸方向及び又は周波数軸方向に連続する係数データの値を、入力データに対応する同一値に設定して、係数データに入力データが割り当てられれば、異なるサンプリングブロックにより入力データを検出する場合でも、少なくとも１の係数データにおいては、入力データを割り当てた際における係数データとほぼ同一値を得ることができ、これにより誤検出を防止することができる。
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】変更
【補正の内容】
【００３５】
さらに請求項１０又は請求項１１に係る構成によれば、それぞれ信号処理装置又は信号処理方法において、入力信号を所定のサンプリングブロックにより直交変換処理して係数データを生成し、この係数データに所定の入力データを割り当て、入力信号に直接に又は間接的に時間計測用の基準信号を埋め込むことにより、入力データを埋め込んだときに比して入力信号のピッチが変化している場合でも、この時間計測用の基準信号に基づいて、正しいピッチによりこのように入力データが埋め込まれている入力信号を処理することができる。これにより入力データを埋め込んだときとサンプリングブロックの時間間隔を等しく設定して入力データを検出でき、入力データの誤検出を防止することができる。
【手続補正２５】
【補正対象書類名】明細書
【補正対象項目名】００３６
【補正方法】変更
【補正の内容】
【００３６】
さらに請求項１２に係る構成によれば、所定の入力信号を記録した記録媒体において、この入力信号が、所定のサンプリングブロックにより直交変換処理して係数データに変換され、この係数データに所定の入力データが割り当てられ、直接に又は間接的に時間計測用の基準信号が埋め込まれている場合には、入力データを埋め込んだときに比して入力信号のピッチが変化している場合でも、この時間計測用の基準信号に基づいて、正しいピッチによりこのように入力データが埋め込まれている入力信号を処理することができる。これにより入力データを埋め込んだときとサンプリングブロックの時間間隔を等しく設定して入力データを検出でき、入力データの誤検出を防止することができる。
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】変更
【補正の内容】
【００４１】
また請求項１３又は請求項１４に係る構成において、それぞれ信号処理装置又は信号処理方法において、入力信号を所定のサンプリングブロックにより直交変換処理して係数データを生成し、この係数データに所定の入力データを割り当てる際に、係数データの周波数軸方向及び時間軸方向の組み合わせによるパターンにより入力データを表現すれば、入力信号によっては発生確立の極めて低いパターンにより入力データを表現することができ、これによりこの種のデータの誤検出を防止することができる。
【手続補正３１】
【補正対象書類名】明細書
【補正対象項目名】００４２
【補正方法】変更
【補正の内容】
【００４２】
また請求項１９に係る構成において、所定の入力信号を記録した記録媒体において、この入力信号が、所定のサンプリングブロックにより直交変換処理して係数データに変換され、この係数データに所定の入力データが割り当てられ、この係数データの周波数軸方向及び時間軸方向の組み合わせによるパターンにより入力データが表現されていれば、入力信号によっては発生確立の極めて低いパターンにより入力データを表現することができ、これによりこの種のデータの誤検出を防止することができる。
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】変更
【補正の内容】
【００４４】
また請求項２０又は請求項２２に係る構成において、それぞれ信号処理装置又は信号処理方法において、入力信号を所定のサンプリングブロックにより直交変換処理して係数データを生成し、この係数データに所定の入力データを割り当て、この係数データを逆直交変換処理して出力信号を生成し、係数データへの入力データの割り当てに連動して、この出力信号と入力信号とを選択的に出力すれば、入力信号に入力データを埋め込まない部分では、入力信号を選択的に出力することにより、直交変換処理により発生する丸め誤差等による入力信号の劣化を低減することができる。
【手続補正３４】
【補正対象書類名】明細書
【補正対象項目名】００４５
【補正方法】変更
【補正の内容】
【００４５】
また請求項２３に係る構成において、所定の入力信号を記録した記録媒体において、この入力信号は、所定のサンプリングブロックにより直交変換処理して係数データに変換され、この係数データに所定の入力データが割り当てられて、逆直交変換処理されて出力信号に変換され、この出力信号と合成されて記録されれば、入力信号に入力データを埋め込まない部分では、入力信号が選択的に記録されるようにして、直交変換処理により発生する丸め誤差等による入力信号の劣化を低減することができる。
【手続補正３５】
【補正対象書類名】明細書
【補正対象項目名】００４６
【補正方法】削除
【補正の内容】